【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  透明または半透明のコーティング処理製品であって、
光学基質と、
前記光学基質の少なくとも一部にコーティング処理される一層以上の層の反射防止材料とを具備し、該一層以上の層の厚みは、製品が同時に、
（１）特定の照明の下で特定の角度で見るとき、色のＣＩＥ色度座標により定義される色空間の特定の体積要素内にあるよう知覚される色を有し、
（２）知覚反射率Ｆ＝∬Ｓ(λ，θ)Ｒ(λ，θ)ｄλｄθが１.２５Ｆmin以下であり、ここで、λは波長であり、θは入射角であり、Ｓ(λ，θ)は波長および入射角の関数としての人間の感度関数であり、Ｒ(λ，θ)はｐ偏光反射率およびｓ偏光反射率の平均であり、Ｆminは色度座標によって与えられる制約内で最小の知覚反射率である、ことを満たすように選択されるコーティング処理製品。
【請求項２】  前記光学基質が眼用レンズである請求項１に記載のコーティング処理製品。
【請求項３】  前記眼用レンズにおいて一方または両方のレンズ表面および／またはその縁の少なくとも一部に反射防止材料がコーティング処理される請求項２に記載のコーティング処理製品。
【請求項４】  前記光学基質が窓ガラスである請求項１に記載のコーティング処理製品。
【請求項５】  前記光学基質がテレビ画面またはコンピュータモニターである請求項１に記載のコーティング処理製品。
【請求項６】  少なくとも一層の反射防止材料がフルオロカーボン膜を含む請求項１に記載のコーティング処理製品。
【請求項７】  前記フルオロカーボン膜がフッ素置換処理有機化合物のプラズマ溶着生成物である請求項６に記載のコーティング処理製品。
【請求項８】  前記フッ素置換処理有機化合物がペルフルオロ脂肪族化合物またはペルフルオロ脂環式化合物である請求項７に記載のコーティング処理製品。
【請求項９】  前記フッ素置換処理有機化合物が、ペルフルオロシクロブタン、ヘクサフルオロエタン、テトラフルオロエチレン、ペルフルオロプロペンおよびその混合物から成るグループから選択される請求項８に記載のコーティング処理製品。
【請求項１０】  前記フルオロカーボン膜がポリテトラフルオロエチレンを含む請求項６に記載のコーティング処理製品。
【請求項１１】  前記反射防止材料の少なくとも一層が有機膜または有機珪素化合物膜を含む請求項１に記載のコーティング処理製品。
【請求項１２】  反射防止材料の層のうち少なくとも一つがＳｉ(ＣＨ3)4、ＨＳｉ(ＣＨ3)3、チオフェン、フラン、ベンゼン、Ｔｉ(ＯＣ2Ｈ5)4、Ｔｉ(ＯＣ2Ｈ7)4、Ｔｉ(Ｎ(Ｃ2Ｈ5)2)4およびフッ素置換処理有機化合物から成るグループから選択される一つまたはそれ以上の先駆物資のプラズマ強化化学蒸着生成物を含む請求項１に記載のコーティング処理製品。
【請求項１３】  反射防止材料の各層が約５ｎｍより大きく約１ミクロンより小さい物理的厚みを有する請求項１に記載のコーティング処理製品。
【請求項１４】  前記光学基質および／または反射防止材料の層に溶着される光学的に薄い金属層をさらに具備する請求項１に記載のコーティング処理製品。
【請求項１５】  疎水性材料の層をさらに具備する請求項１に記載のコーティング処理製品。
【請求項１６】  前記照明が通常のまたは分光的にフィルタリングされる日光、タングステン電灯、蛍光灯およびアークランプから選択される請求項１に記載のコーティング処理製品。
【請求項１７】  前記体積要素が１９３１色度座標において（１/３，１/３）を中心とする半径０.１の円により定義される請求項１に記載のコーティング処理製品。
【請求項１８】  前記体積要素が背景色と調和して反射光の可視性を減ずるように選択される請求項１に記載のコーティング処理製品。
【請求項１９】  透明または半透明のコーティング処理製品であって、
光学基質と、
前記光学基質の少なくとも一部にコーティング処理される一層以上の層の反射防止材料であって、該一層以上の層が、（ａ）色度座標が１９３１ＣＩＥ色空間において（１/３，１/３）を中心とする半径０．１の円によって定義される体積要素に含まれるように、且つ１.２５Ｆmin以下の知覚反射率Ｆ＝∬Ｓ(λ，θ)Ｒ(λ，θ)ｄλｄθを提供するように選択される厚みを有する、反射防止材料とを具備し、
ここで、λは波長であり、θは入射角であり、Ｓ(λ，θ)は波長および入射角の関数としての人間の感度関数であり、Ｒ(λ，θ)はｐ偏光反射率およびｓ偏光反射率の平均であり、Ｆminはコーティング処理製品の最小知覚反射率である、コーティング処理製品。
【請求項２０】  光学基質が一層またはそれ以上の層の反射防止材料でコーティング処理された透明または半透明のコーティング処理製品を製造する製造方法であって、
前記光学基質上への一層以上の層の反射防止材料の溶着を開始する工程と、
前記一層以上の層の厚みが、製品が同時に（ｉ）特定の照明の下で特定の角度で見るとき、色のＣＩＥ色度座標により定義される色空間の特定の体積要素内にあるよう知覚される色を有し、（ｉｉ）知覚反射率Ｆ＝∬Ｓ(λ，θ)Ｒ(λ，θ)ｄλｄθが１.２５Ｆmin以下であり、ここで、λは波長であり、θは入射角であり、Ｓ(λ，θ)は波長および入射角の関数としての人間の感度関数であり、Ｒ(λ，θ)はｐ偏光反射率およびｓ偏光反射率の平均であり、Ｆminは色度座標によって与えられる制約内で最小の知覚反射率である、ことを満たすように選択される厚みに達したときに溶着を終了する工程とを具備する製造方法。
【請求項２１】  前記一層以上の層がプラズマ強化化学蒸着によって溶着される請求項２０に記載の製造方法。
【手続補正２】
【補正対象書類名】明細書
【補正対象項目名】０００６
【補正方法】変更
【補正の内容】
【０００６】
ＡＲコーティング処理製品からの反射光の量は、波長および角度に応じてもっと劇的に変動するので、反射の知覚色は光源の色と異なる場合がある。この色は眼鏡レンズおよびその他の光学基質の外見の質に影響するので、反射光の知覚色を制御しながら反射を減少することが望ましい。
本願出願人の前の国際出願ＷＯ９８／３３０７７号明細書には、Ｆ＝∬Ｓ(λ，θ)Ｒ(λ，θ)ｄλｄθで定義される知覚反射率Ｆを有する透明または半透明のコーティング処理製品であって、特に、一つ以上の層がコーティング処理された製品を準備することによって眩しい光（ギラギラした光；glare）を導く迷光の反射率を低減することを目的としたものが開示されている。層の厚みは結果として形成されたコーティング処理製品が最小の知覚反射率を有するように選択される。この明細書では、コーティング処理製品の色を制御するために層の厚みを同時に制御することが望ましいことについては扱われていない。
「テレビ用フィルタ（television filter）」というタイトルの米国特許第５、８５２、５１３号明細書は、眩しい光及び反射率を低減する問題、および画像表示スクリーンでのコントラストを改良する問題について述べている。特に、この明細書は、白又は白に近い反射色及び低い反射率を提供すべく二層コーティングについて述べている。この明細書は、異なる波長及び角度における人間の光への感度とｐ偏光反射率及びｓ偏光反射率との両方の関数である知覚反射率を最小にするという問題について扱っていない。